(57)【特許請求の範囲】
【請求項１】
筐体内に制御基板を有した電子機器であって、前記筐体の一つの面に放熱ユニットを備え、前記放熱ユニットは、熱交換体と前記電子機器の内部と外部を仕切る仕切り板と、前記仕切り板の前記筺体の外部側に配置した熱交換体と、前記仕切り板の前記筺体の内部側に配置した複数の送風機と、前記仕切り板の上方の横方向に複数の上方通気口と、前記仕切り板の下方の横方向に複数の下方通気口と、前記熱交換体は前記上方通気口と前記下方通気口をそれぞれ合成樹脂製の筒状の温風路体によって縦方向に橋架状に連結し、前記筺体内部の空気を前記上方通気口から前記温風路体内、前記下方通気口へと順に送風し、前記電子機器の前記放熱ユニットを備えた面と隣接する面に前記放熱ユニットの前記電子機器の内部に位置する部位の投影形状より大きな開口である取出し開口を備え、前記取出し開口の前記電子機器の外側に前記取出し開口よりも大きな閉塞板を備えたことを特徴とする放熱ユニットを用いた電子機器。
【請求項２】
前記放熱ユニットは、前記取出し開口を設けた面側からのみ前記筐体に固定したことを特徴とする請求項１記載の放熱ユニットを用いた電子機器。
【請求項３】
前記閉塞板は、前記仕切り板の一部であることを特徴とする請求項１または２記載の放熱ユニットを用いた電子機器。
【請求項４】
前記閉塞板は、前記電子機器の外側の面に第一の取っ手を設けたことを特徴とする請求項３記載の放熱ユニットを用いた電子機器。
【請求項５】
前記電子機器は、前記放熱ユニットを装着する面に前記放熱ユニットの外周に差込ガイドを備えたことを特徴とする請求項１〜４のいずれか一つに記載の放熱ユニットを用いた電子機器。
【請求項６】
前記送風機の前記取出し開口側のみに放熱ユニットに固定する第一の固定部を有し、前記閉塞板に前記送風機の投影形状より大きな開口である送風機取出し開口を備え、前記送風機取出し開口の前記電子機器の外側に前記送風機取出し開口よりも大きな送風機取出し閉塞板を備えたことを特徴とする請求項１〜５のいずれか一つに記載の放熱ユニットを用いた電子機器。
【請求項７】
前記送風機の前記取出し開口側に第二の取っ手を設けたことを特徴とする請求項６記載の放熱ユニットを用いた電子機器。
【請求項８】
前記仕切り板に、前記送風機の差込み部及び第二の固定部を有したことを特徴とする請求項６または７記載の放熱ユニットを用いた電子機器。
【請求項９】
前記送風機の原動機と接続された第一の制御コネクタは、前記放熱ユニットの差込み方向に接続部が露出した状態にて前記放熱ユニットに固定し、前記第一の制御コネクタと対になる前記制御基板に接続された第二の制御コネクタは、前記電子機器の前記放熱ユニットの装着位置において前記第一の制御コネクタと連結される位置に固定したことを特徴とする請求項１〜８のいずれか一つに記載の放熱ユニットを用いた電子機器。
【請求項１０】
前記電子機器は、放熱ユニットを前記電子機器に押し当てる密閉部材を備えたことを特徴とする請求項１〜９のいずれか一つに記載の放熱ユニットを用いた電子機器。
【請求項１１】
前記密閉部材は、前記放熱ユニットを前記電子機器の一部に押し当てる位置に緩衝部材を備えたことを特徴とする請求項１０記載の放熱ユニットを用いた電子機器。
【請求項１２】
前記密閉部材は、前記閉塞板または前記電子機器の前記閉塞板を固定する面に前記密閉部材を固定するための第三の固定部を備えたことを特徴とする請求項１０または１１記載の放熱ユニットを用いた電子機器。
【請求項１３】
前記密閉部材は、前記電子機器の外側方向に中心点を持つ円弧形状としたことを特徴とする請求項１０〜１２のいずれか一つに記載の放熱ユニットを用いた電子機器。
【請求項１４】
前記電子機器は、前記放熱ユニットを覆う背面カバーを備えたものであって、前記背面カバーは前記電子機器の前記取出し開口に位置する部位に開閉機構を備えたことを特徴とする請求項１〜１３のいずれか一つに記載の放熱ユニットを用いた電子機器。
【請求項１５】
前記背面カバーは、前記電子機器に備えられた複数の前記放熱ユニットごとに備えられ、前記背面カバーは、前記電子機器の前記取出し開口に位置する部位および前記取出し開口側の前記放熱ユニットの投影面となる部位に開閉機構を備えたものであって、前記背面カバーは、前記電子機器の前記放熱ユニットを備えた面に固定されたことを特徴とする請求項１４記載の放熱ユニットを用いた電子機器。
【請求項１６】
前記電子機器は、前記放熱ユニットを覆う背面カバーを備えたものであって、前記背面カバーは前記電子機器に備えられた複数の前記放熱ユニットごとに備えられ、前記背面カバーは、前記放熱ユニットの前記仕切り板に固定されたことを特徴とする請求項１〜１３のいずれか一つに記載の放熱ユニットを用いた電子機器。
【発明の詳細な説明】
【技術分野】
【０００１】
本発明は、例えば屋外に設置される放熱ユニットを組み込んだ電子機器に関するものである。
【背景技術】
【０００２】
電子機器、例えばテレビジョン受像機等の画像表示装置では、本体ケースの表面側に表示部が設けられ、またこの本体ケースの内部には前記表示部の制御部が設けられ、制御部の後ろ側は仕切り板で覆っていた。
【０００３】
また、近年のテレビジョン受像機はその表示部が極めて大きくなってきたので、その表示効果の高さを利用し、これを広告装置として屋外に設置する取り組みも活発化されるようになってきており、屋外で使用する場合も増えてきている。
【０００４】
このため、電子機器は、制御部を塵埃及び水滴から保護するためにほぼ密閉構造とし、本体ケース内部の発熱を本体ケース内部に設けた送風機と本体ケースの仕切り板側の面に設置した熱交換体を備えた放熱ユニットを用い放熱する構造とされていた（例えば特許文献１）。
【０００５】
この電子機器の構成は、ほぼ密閉構造とするために、電子機器の放熱ユニットを装着する面の外側からネジ等の固定具を用いて、本体ケースの背面側から強固に固定していた。
【０００６】
また、この電子機器は、本体ケースの仕切り板側の面に設置部材の固定部を有し、壁面に設置して使用する場合や、天井から吊り下げて使用される場合もあった（例えば特許文献２）。
【先行技術文献】
【特許文献】
【０００７】
【特許文献１】特開２００８―９６９１０号公報
【特許文献２】特開平７―３２２１７２号公報
【発明の概要】
【発明が解決しようとする課題】
【０００８】
しかしながら、このような構成とした電子機器を、本体ケースの背面側に設けた設置部材の固定部を用い壁面及び天井等に固定した場合において、従来の放熱ユニットのメンテナンス作業では、まず壁面及び天井等から電子機器を取り外し、次に放熱ユニットの外側に設けられた背面カバーを取り外し、最後に放熱ユニットを取り外すという手順が必要であり、放熱ユニットのメンテナンス作業は時間と手間がかかり非常に面倒な作業であった。
【０００９】
そこで、本発明は電子機器を壁面及び天井等に固定した状態においても、放熱ユニット及び放熱ユニットの送風機を取り外すことが可能となる構成とすることで、放熱ユニットのメンテナンスを簡単にすることができる放熱ユニットを用いた電子機器を提供することを目的とするものである。
【課題を解決するための手段】
【００１０】
そして、この目的を達成するために、本発明の放熱ユニットを用いた電子機器は、筐体内に制御基板を有した電子機器であって、前記筐体の一つの面に放熱ユニットを備え、前記放熱ユニットは、熱交換体と前記電子機器の内部と外部を仕切る仕切り板と、前記仕切り板の前記筺体の外部側に配置した熱交換体と、前記仕切り板の前記筺体の内部側に配置した複数の送風機と、前記仕切り板の上方の横方向に複数の上方通気口と、前記仕切り板の下方の横方向に複数の下方通気口と、前記熱交換体は前記上方通気口と前記下方通気口をそれぞれ合成樹脂製の筒状の温風路体によって縦方向に橋架状に連結し、前記筺体内部の空気を前記上方通気口から前記温風路体内、前記下方通気口へと順に送風し、前記電子機器の前記放熱ユニットを備えた面と隣接する面に前記放熱ユニットの前記電子機器の内部に位置する部位の投影形状より大きな開口である取出し開口を備え、前記取出し開口の前記電子機器の外側に前記取出し開口よりも大きな閉塞板を備えたものであり、これにより所期の目的を達成するものである。
【発明の効果】
【００１１】
本発明の放熱ユニットを用いた電子機器は、筐体内に制御基板を有した電子機器であって、前記筐体の一つの面に放熱ユニットを備え、前記放熱ユニットは、熱交換体と前記電子機器の内部と外部を仕切る仕切り板と、前記仕切り板の前記筺体の外部側に配置した熱交換体と、前記仕切り板の前記筺体の内部側に配置した複数の送風機と、前記仕切り板の上方の横方向に複数の上方通気口と、前記仕切り板の下方の横方向に複数の下方通気口と、前記熱交換体は前記上方通気口と前記下方通気口をそれぞれ合成樹脂製の筒状の温風路体によって縦方向に橋架状に連結し、前記筺体内部の空気を前記上方通気口から前記温風路体内、前記下方通気口へと順に送風し、前記電子機器の前記放熱ユニットを備えた面と隣接する面に前記放熱ユニットの前記電子機器の内部に位置する部位の投影形状より大きな開口である取出し開口を備え、前記取出し開口の前記電子機器の外側に前記取出し開口よりも大きな閉塞板を備えたものであるので、放熱ユニットを用いた電子機器のメンテナンスを簡単にすることができる。
【００１２】
すなわち、本発明においては、従来のように放熱ユニットのメンテナンスをする際に、まず壁面及び天井から電子機器を取り外し、次に背面カバーを取り外し、最後に放熱ユニットを取り外すという手間と時間をかけることなく、電子機器を壁面及び天井等に固定した状態においても、放熱ユニット及び放熱ユニットの送風機のみを取り外すことが可能であるため、放熱ユニットを用いた電子機器の放熱ユニットのメンテナンスを簡単にすることができるのである。
【図面の簡単な説明】
【００１３】
【図１】本発明の実施の形態１の設置例を示す斜視図
【図２】同背面側の斜視図
【図３】同背面側の分解斜視図
【図４】（ａ）同熱交換体の外側の空気の流れを示す側面断面の構成図（ｂ）同筐体内と熱交換体を循環する空気の流れを示す側面断面の構成図
【図５】同放熱ユニットの差込み方向Ｘを示す分解斜視図
【図６】同Ａ−Ａ´断面の構成図
【図７】同送風機の差込み方向Ｘを示すＡ−Ａ´分解断面の構成図
【図８】同背面カバー開閉機構を説明する背面側の斜視図
【図９】本発明の実施の形態２の背面カバーを説明する背面側の斜視図
【図１０】本発明の実施の形態３の背面カバーを説明する背面側の斜視図
【発明を実施するための形態】
【００１４】
本発明の請求項１記載の放熱ユニットを用いた電子機器は、筐体内に制御基板を有した電子機器であって、前記筐体の一つの面に放熱ユニットを備え、前記放熱ユニットは熱交換体と前記電子機器の内部と外部を仕切る仕切り板と送風機とを備え、前記電子機器の前記放熱ユニットを備えた面と隣接する面に前記放熱ユニットの前記電子機器内部に位置する部位の投影形状より大きな開口である取出し開口を備え、前記取出し開口の前記電子機器外側に前記取出し開口よりも大きな閉塞板を備えたものであって、取出し開口及び閉塞板を備えることで、電子機器を壁面及び天井等に固定した状態においても、閉塞板の固定を解くことで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００１５】
本発明の請求項２記載の放熱ユニットを用いた電子機器は、前記放熱ユニットは、前記取出し開口を設けた面側からのみ前記筐体に固定したものであって、電子機器を壁面及び天井等に固定した状態においても、取出し開口を設けた面から閉塞板の固定を解くことで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００１６】
本発明の請求項３記載の放熱ユニットを用いた電子機器は、前記閉塞板は、前記仕切り板の一部であるものであって、電子機器を壁面及び天井等に固定した状態においても、閉塞板の固定を解くことで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００１７】
本発明の請求項４記載の放熱ユニットを用いた電子機器は、前記閉塞板は、前記電子機器の外側の面に第一の取っ手を設けたものであって、電子機器を壁面及び天井等に固定した状態においても、閉塞板の固定を解き、第一の取っ手を引くことで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００１８】
本発明の請求項５記載の放熱ユニットを用いた電子機器は、前記電子機器は、前記放熱ユニットを装着する面に前記放熱ユニットの外周に差込ガイドを備えたものであって、電子機器を壁面及び天井等に固定した状態においても、差込ガイドを備えることで、電子機器に放熱ユニットを差込む際に、電子機器の放熱ユニットを備えた面と隣接する面側から差込ガイドに沿って放熱ユニットを差込むことができ、放熱ユニットを用いた電子機器の放熱ユニットのメンテナンスを簡単にすることができる効果を奏する。
【００１９】
本発明の請求項６記載の放熱ユニットを用いた電子機器は、前記送風機の前記取出し開口側のみに放熱ユニットに固定する第一の固定部を有し、前記閉塞板に前記送風機の投影形状より大きな開口である送風機取出し開口を備え、前記送風機取出し開口の前記電子機器外側に前記送風機取出し開口よりも大きな送風機取出し閉塞板を備えたものであって、電子機器を壁面及び天井等に固定した状態においても、送風機取出し開口側から送風機を筐体内部に固定する第一の固定部の固定を解くことができ、送風機取出し閉塞板を取り外すことで送風機取り出し開口から放熱ユニットの送風機のみを取り外すことが可能であるため、放熱ユニットを用いた電子機器の放熱ユニットのメンテナンスを簡単にすることができる効果を奏する。
【００２０】
本発明の請求項７記載の放熱ユニットを用いた電子機器は、前記送風機の前記取出し開口側に第二の取っ手を設けたものであって、電子機器を壁面及び天井等に固定した状態においても、取出し開口側から送風機を筐体内部に固定する第一の固定部の固定を解くことができ、送風機取出し閉塞板を取り外し、第二の取っ手を引くことで送風機取り出し開口から放熱ユニットの送風機のみを取り外すことが可能であるため、放熱ユニットを用いた電子機器の放熱ユニットのメンテナンスを簡単にすることができる効果を奏する。
【００２１】
本発明の請求項８記載の放熱ユニットを用いた電子機器は、前記仕切り板に、前記送風機の差込み部及び第二の固定部を有したものであって、電子機器を壁面及び天井等に固定した状態においても、差込み部を設けることで、電子機器に送風機を差込む際に、差込み部に送風機を差込むことができ、また、第一の固定部と対になる第二の固定部を設けることで、筐体内部に差込まれた送風機を送風機取出し開口側から仕切り板に固定することができるため、放熱ユニットを用いた電子機器の放熱ユニットのメンテナンスを簡単にすることができる効果を奏する。
【００２２】
本発明の請求項９記載の放熱ユニットを用いた電子機器は、前記送風機の原動機と接続された第一の制御コネクタは、前記放熱ユニットの差込み方向に接続部が露出した状態にて前記放熱ユニットに固定し、前記第一の制御コネクタと対になる前記制御基板に接続された第二の制御コネクタは、前記電子機器の前記放熱ユニットの装着位置において前記第一の制御コネクタと連結される位置に固定したものであって、電子機器を壁面及び天井等に固定した状態において、電子機器の放熱ユニットを備えた面と隣接する面側から放熱ユニット及び放熱ユニットの送風機のみを取り外した際に、第一の制御コネクタと第二の制御コネクタの連結が解かれるとともに、電子機器の放熱ユニットを備えた面と隣接する面側から放熱ユニット及び放熱ユニットの送風機のみを装着する際に、放熱ユニット及び放熱ユニットの送風機のみを筐体に差込むだけで電子機器の放熱ユニットの装着位置において第一の制御コネクタと第二の制御コネクタが連結されるため、放熱ユニットを用いた電子機器の放熱ユニットのメンテナンスを簡単にすることができる効果を奏する。
【００２３】
本発明の請求項１０記載の放熱ユニットを用いた電子機器は、前記電子機器は、放熱ユニットを前記電子機器に押し当てる密閉部材を備えたものであって、密閉部材を備えることで、電子機器の放熱ユニット装着面からのネジ等を用いた固定を行わずに放熱ユニットと電子機器間の密閉性を確保することができるため、放熱ユニットを用いた電子機器の放熱ユニットのメンテナンスを簡単にすることができる効果を奏する。
【００２４】
本発明の請求項１１記載の放熱ユニットを用いた電子機器は、前記密閉部材は、前記放熱ユニットを前記電子機器の一部に押し当てる位置に緩衝部材を備えたものであって、密閉部材に緩衝部材を備えることで、電子機器の放熱ユニット装着面からのネジ等を用いた固定を行わずに放熱ユニットと電子機器間の密閉性を確保することができるため、放熱ユニットを用いた電子機器の放熱ユニットのメンテナンスを簡単にすることができる効果を奏する。
【００２５】
本発明の請求項１２記載の放熱ユニットを用いた電子機器は、前記密閉部材は、前記閉塞板または前記電子機器の前記閉塞板を固定する面に前記密閉部材を固定するための第三の固定部を備えたものであって、閉塞板または電子機器の閉塞板を固定する面、すなわちメンテナンス作業を行う側に密閉部材を固定するための第三の固定部を備えることで、電子機器の放熱ユニット装着面からのネジ等を用いた固定を行わずに放熱ユニットと電子機器間の密閉性を確保することができるため、放熱ユニットを用いた電子機器の放熱ユニットのメンテナンスを簡単にすることができる効果を奏する。
【００２６】
本発明の請求項１３記載の放熱ユニットを用いた電子機器は、前記密閉部材は、前記電子機器の外側方向に中心点を持つ円弧形状としたものであって、電子機器の外側方向に中心点を持つ円弧形状とした密閉部材を備えることで、電子機器の放熱ユニット装着面からのネジ等を用いた固定を行わずに放熱ユニットと電子機器間の密閉性を確保することができるため、放熱ユニットを用いた電子機器の放熱ユニットのメンテナンスを簡単にすることができる効果を奏する。
【００２７】
本発明の請求項１４記載の放熱ユニットを用いた電子機器は、前記電子機器は、前記放熱ユニットを覆う背面カバーを備えたものであって、前記背面カバーは前記電子機器の前記取出し開口に位置する部位に開閉機構を備えたものであって、背面カバーの取出し開口に位置する部位に開閉機構を設けたことで、電子機器を壁面及び天井等に固定した状態においても、背面カバーを取り外すことなく、開閉機構部分を開放することで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００２８】
本発明の請求項１５記載の放熱ユニットを用いた電子機器は、前記背面カバーは、前記電子機器に備えられた複数の前記放熱ユニットごとに備えられ、前記背面カバーは、前記電子機器の前記取出し開口に位置する部位および前記取出し開口側の前記放熱ユニットの投影面となる部位に開閉機構を備えたものであって、前記背面カバーは、前記電子機器の前記放熱ユニットを備えた面に固定されたことで、電子機器を壁面及び天井等に固定した状態においても、背面カバーを取り外すことなく、開閉機構部分を開放することで、電子機器の放熱ユニットを備えた面と隣接する面側から放熱ユニットの電子機器内部に位置する部品ごと放熱ユニットを取り外すことが可能であるため、放熱ユニットを用いた電子機器の放熱ユニットのメンテナンスを簡単にすることができる効果を奏する。
【００２９】
本発明の請求項１６記載の放熱ユニットを用いた電子機器は、前記電子機器は、前記放熱ユニットを覆う背面カバーを備えたものであって、前記背面カバーは前記電子機器に備えられた複数の前記放熱ユニットごとに備えられ、前記背面カバーは、前記放熱ユニットの前記仕切り板に固定されたことで、電子機器を壁面及び天井等に固定した状態においても、電子機器の放熱ユニットを備えた面と隣接する面側から、放熱ユニットの電子機器内部に位置する部品および放熱ユニットの仕切り板に固定された背面カバーごと放熱ユニットを取り外すことが可能であるため、放熱ユニットを用いた電子機器の放熱ユニットのメンテナンスを簡単にすることができる効果を奏する。
【００３０】
以下、本実施の形態について図面を参照しながら説明する。
【００３１】
（実施の形態１）
図１において１は、電子機器の一例として用いた表示装置で、テレビジョン受像機としての機能以外に、広告用の表示も行えるようになっている。
【００３２】
したがって、この図１では、表示装置１は商店２の軒下３、つまり屋外に設置され、この屋外において横長状態の表示部４が表出した状態となっている。
【００３３】
また、本実施の形態において、電子機器は表示装置１と示す。
【００３４】
表示装置１は図２、図３に示すように前面と背面が開口した横長状態の筐体５と、この筐体５の開口部に水密状態で配置された表示部４と、この筐体５の内部に配置されるとともに、表示部４の制御を行う制御基板として制御部６と、筐体５の背面開口部に水密状態で配置された複数の放熱ユニット７と、この放熱ユニット７の背面側を通気状態で覆った背面カバー８とを備えている。なお、本実施の形態では図３に示すように三つの放熱ユニット７を左右に並べることで、筐体５の背面開口部を、複数の放熱ユニット７で水密状態に覆う構成としている。
【００３５】
また、三つの放熱ユニット７のそれぞれは、図３に示すように表示装置１を構成する筐体５の背面開口部に装着して、この筐体５の内部と外部を水密状態で仕切る縦長状態で金属製の仕切り板９と、この仕切り板９の筐体５の外部側に配置した熱交換体１０と、仕切り板９の筐体５の内部側に配置した複数の送風機１１とを備えている。なお、三つの放熱ユニット７の仕切り板９は本実施の形態では縦長の長方形としたが、筐体５の形状などにより、横長の長方形状でも、正方形でも作成することもできる。例えば、三つの放熱ユニット７を一つの放熱ユニット７にした場合には、仕切り板９は一つの横長の長方形状になる。
【００３６】
また、仕切り板９は、その上方の横方向に所定間隔をおいて複数の上方通気口１２が設けられ、またその下方には横方向に所定間隔をおいて複数の下方通気口１３が設けられている。
【００３７】
さらに、熱交換体１０は、図３に示すごとく、仕切り板９の筐体５の外部側において、複数の各上方通気口１２と複数の各下方通気口１３を、それぞれ温風路体１４によって縦方向に橋架状に連結した構成となっている。
【００３８】
つまり、この温風路体１４は合成樹脂製の筒状であり、上方通気口１２と下方通気口１３間を、筐体５の外部側において、連通させた状態となっており、送風機１１により、図４に示すごとく、筐体５の内部側の空気を、仕切り板９の上方通気口１２から温風路体１４内、下方通気口１３へと順に送風する構成となっている。
【００３９】
また、図３に示すように、表示装置１は、放熱ユニット７の表示装置１内部いわゆる筐体５内部に位置する部位の投影形状より大きな開口である取出し開口１５（破線部）を筐体５に備え、取出し開口１５の表示装置１外側に取出し開口１５よりも大きく仕切り板９と一体となった閉塞板１６を備えた構成となっている。ただし、ここで言う放熱ユニット７の表示装置１内部いわゆる筐体５内部に位置する部位の投影形状とは、取出し開口１５に対する放熱ユニット７のみのものであり、複数の放熱ユニット７の投影形状のことではない。なお、閉塞板１６は、図３に示すように、第一の取っ手１７を備えた構成となっている。
【００４０】
図５に示すように、放熱ユニット７は、閉塞板固定部１８により取出し開口１５を設けた筐体５の面からのみ固定した構成となっている。なお、本実施の形態における閉塞板固定部１８は、筐体５にメスネジを備え、閉塞板１６にオスネジを貫通させるための穴を備え、筐体５及び閉塞板１６の外側からオスネジを筐体５のメスネジに固定することで、放熱ユニット７を筐体５に固定する構成となっている。
【００４１】
また、図５に示すように、放熱ユニット７を表示装置１の筐体５に設置する際の差込ガイド１９を筐体５に備えた構成となっている。
【００４２】
図５に示すように、放熱ユニット７を表示装置１の装着位置に固定した際に、放熱ユニット７を表示装置１の筐体５に押し当て密着させるための密閉部材２０を筐体５に備え、密閉部材２０の放熱ユニット７側の面に緩衝部材２１を備え、さらに、密閉部材２０は、図５に示すように、表示装置１の外側方向に中心点を持つ円弧形状であり、筐体５の閉塞板１６を固定する面に密閉部材２０を筐体５に固定するための第三の固定部２２を備えた構成となっている。なお、密閉部材２０は金属等の剛性に優れた素材であり、緩衝部材２１は発泡ウレタン等の弾性に優れた素材を用いたものである。
【００４３】
また、図５のＡ−Ａ´断面である図６に示すように、放熱ユニット７の送風機１１の壁面に送風機１１の原動機と接続された第一の制御コネクタ２３を備え、第一の制御コネクタ２３は放熱ユニット７を筐体５へと設置する際の差込み方向Ｘに接続部が露出した状態で送風機１１に固定されており、第一の制御コネクタ２３と対になる第二の制御コネクタ２４は、表示装置１内部の放熱ユニット７の装着位置において第一の制御コネクタ２３と連結される位置に固定された構成となっている。
【００４４】
なお、上述した第一の制御コネクタ２３の放熱ユニット７を筐体５へと設置する際の差込み方向Ｘに接続部が露出した状態とは、図６に示すように、放熱ユニット７を筐体５の設置位置から差込み方向Ｘに動かした際に、第一の制御コネクタ２３と第二の制御コネクタ２４が抜き差し可能となる状態のことである。
【００４５】
また、本実施の形態において、送風機１１は、送風機１１と一体となったケーシングも送風機１１の一部である。
【００４６】
よって、図５に示すように、放熱ユニット７を表示装置１に装着する場合、第一の取っ手１７を持ち、放熱ユニット７を図５に示す差込み方向Ｘに沿って設けられた差込ガイド１９に沿って放熱ユニット７を表示装置１の取出し開口１５に向かって差込み、放熱ユニット７を表示装置１に差込んだ際に、送風機１１に固定された第一の制御コネクタ２３が表示装置１の内部に固定された第二の制御コネクタ２４と連結され、次に閉塞板１６と筐体５とを閉塞板固定部１８を用いて固定し、最後に密閉部材２０を用いて放熱ユニット７を筐体５に密着させつつ第三の固定部２２により密閉部材２０を筐体５に固定することで、放熱ユニット７を表示装置１に装着する構成となっている。
【００４７】
また、放熱ユニット７を表示装置１から取り外す場合、密閉部材２０を筐体５に固定する第三の固定部２２の固定を外し、放熱ユニット７を表示装置１の筐体５に固定する閉塞板固定部１８の固定を外し、次に第一の取っ手１７を持ち、差込み方向Ｘの逆方向に向かって放熱ユニット７を引き出すことで、第一の制御コネクタ２３と第二の制御コネクタ２４の連結が解かれ、放熱ユニット７を表示装置１から取り外す構成となっている。
【００４８】
図７に示すように、表示装置１は、閉塞板１６に送風機１１の投影形状より大きな開口である送風機取出し開口２５を備え、送風機取出し開口２５の表示装置１外側に送風機取出し開口２５よりも大きな送風機取出し閉塞板２６を備えた構成となっている。なお、送風機取出し閉塞板２６は、送風機取出し閉塞板固定部２７により閉塞板１６に筐体５の外側から固定した構成となっている。
【００４９】
また、送風機１１の送風機取出し開口２５側に仕切り板９に送風機１１を固定するための第一の固定部２８を備え、また、第一の固定部２８と対になる第二の固定部２９を仕切り板９に備えた構成となっている。なお、本実施の形態における第二の固定部２９にメスネジを備え、第一の固定部２８は、オスネジを貫通させるための穴を備え、第一の固定部２８の第二の固定部２９の反対側からオスネジを差込み、第二の固定部２９のメスネジに固定することで、送風機１１を仕切り板９に固定する構成となっている。
【００５０】
また、送風機１１は、送風機１１の取出し開口１５側に第二の取っ手３０を備え、仕切り板９には、送風機１１を仕切り板９に装着する際のガイドおよび空気漏れを防止する役割を担う差込み部３１を備えた構成となっている。
【００５１】
よって、図７に示すように、送風機１１以外の放熱ユニット７の構成部品が表示装置１に装着した状態において送風機１１を仕切り板９に装着する場合、第二の取っ手３０を持ち、送風機１１を図７に示す差込み方向Ｘに沿って送風機取出し開口２５から筐体５内部に挿入し、送風機１１が仕切り板９への装着位置まで挿入した際に、送風機１１に固定された第一の制御コネクタ２３が表示装置１の内部に固定された第二の制御コネクタ２４と連結され、次に、第一の固定部２８と第二の固定部２９を用いて送風機１１を仕切り板９に固定し、そして送風機取出し閉塞板２６と閉塞板１６を送風機取出し閉塞板固定部２７を用いて固定することで、送風機１１を仕切り板９に装着する構成となっている。
【００５２】
また、送風機１１を仕切り板９から取り外す場合、送風機取出し閉塞板２６を閉塞板１６に固定する送風機取出し閉塞板固定部２７の固定を外し、送風機１１を仕切り板９に固定する第一の固定部２８と第二の固定部２９の固定を外し、次に第二の取っ手３０を持ち、差込み方向Ｘの逆方向に向かって送風機１１を引き出すことで、第一の制御コネクタ２３と第二の制御コネクタ２４の連結が解かれ、送風機１１を仕切り板９から取り外す構成となっている。
【００５３】
なお、上述にて放熱ユニット７及び送風機１１の脱着について説明を行ったが、本実施の形態において、図８に示すように、背面カバー８を表示装置１に装着した状態においても放熱ユニット７及び送風機１１の脱着を可能とするように、背面カバー８の取出し開口１５及び閉塞板１６の外側に位置する面に放熱ユニット７の投影面積よりも大きな開口を持つ開閉機構３２を有しており、背面カバー８を取り外すことなく放熱ユニット７及び送風機１１の脱着が可能となるものである。
【００５４】
次に本実施の形態における放熱ユニット７を用いた表示装置１の放熱に関する説明を行う。
【００５５】
筐体５は、その前面開口部が表示部４で、また背面開口部が仕切り板９により水密状態で覆われているので、表示部４や制御部６の熱がこの筐体５内にこもることになる。
【００５６】
そこで本実施の形態では上述の放熱ユニット７を設けたものであり、送風機１１を駆動すると、図４（ｂ）に示す内側が斜線の矢印のごとく、筐体５内の熱は温風として上方通気口１２から温風路体１４内へと、つまり筐体５外へと搬送される。
【００５７】
その後、温風路体１４部分で冷却された空気が下方通気口１３から筐体５内に搬送され、これで制御部６の冷却が行われることになる。
【００５８】
温風路体１４部分での冷却は、表示装置１の外側の空気の流れを示す側面断面図である図４（ａ）に示すごとく上下、左右への通気が可能な多開口状態の背面カバー８から図４（ａ）の白抜き矢印で示すごとく進入した外気が温風路体１４の表面に沿って上昇することで、行われるようになっている。
【００５９】
なお、本実施の形態では、温風路体１４を合成樹脂によって形成しているが、その板厚を薄くしていると、合成樹脂の熱伝導率が金属よりも小さくとも、対流による熱交換作用で十分なる熱交換が行えるようになっている。
【００６０】
また、本実施の形態の温風路体１４はその仕切り板９側に通風路を設けているので、この通風路だけ上昇経路の分離ができていないようにも見えるが、外気の上昇流は温度上昇によるドラフト作用によるものであるので、この温風路体１４間で十分なドラフト作用が得られ、その結果として外気と温風路体１４内の温風との熱交換は十分に行えるものとなる。
【００６１】
上記のように構成された放熱ユニット７を用いた表示装置１の作用と効果について、以下に説明する。
【００６２】
図３、図５及び図６に示すように、放熱ユニット７を用いた表示装置１は、表示装置１の筐体５の一つの面に放熱ユニット７を備え、放熱ユニット７は熱交換体１０と表示装置１の内部と外部を仕切る仕切り板９と送風機１１とを備え、表示装置１の放熱ユニット７を備えた面と隣接する面に放熱ユニット７の表示装置１内部に位置する部位の投影形状より大きな開口である取出し開口１５を備え、取出し開口１５の表示装置１外側に取出し開口１５よりも大きな閉塞板１６を備えたことで、表示装置１を壁面及び天井等に固定した状態においても、閉塞板固定部１８の固定を解くことで、表示装置１の放熱ユニット７を備えた面と隣接する面側から放熱ユニット７の表示装置１内部に位置する部品ごと放熱ユニット７を取り外すことが可能であるため、放熱ユニット７を用いた表示装置１の放熱ユニット７のメンテナンスを簡単にすることができる。なお、本明細書における放熱ユニット７のメンテナンスとは、放熱ユニット７の送風機１１の点検及び交換、熱交換体１０の点検及び交換などの表示装置１の保守点検作業及び各種部品交換作業のことを指す。
【００６３】
また、放熱ユニット７を用いた表示装置１は、放熱ユニット７を、取出し開口１５を設けた面側からのみ筐体５に固定したことで、表示装置１を壁面及び天井等に固定した状態においても、取出し開口１５を設けた面から閉塞板固定部１８の固定を解くことで、表示装置１の放熱ユニット７を備えた面と隣接する面側から放熱ユニット７の表示装置１内部に位置する部品ごと放熱ユニット７を取り外すことが可能であるため、放熱ユニット７を用いた表示装置１の放熱ユニット７のメンテナンスを簡単にすることができる。
【００６４】
また、放熱ユニット７を用いた表示装置１は、閉塞板１６を、仕切り板９の一部としたことで、表示装置１を壁面及び天井等に固定した状態においても、閉塞板固定部１８の固定を解くことで、表示装置１の放熱ユニット７を備えた面と隣接する面側から放熱ユニット７の表示装置１内部に位置する部品ごと放熱ユニット７を取り外すことが可能であるため、放熱ユニット７を用いた表示装置１の放熱ユニット７のメンテナンスを簡単にすることができる。
【００６５】
また、放熱ユニット７を用いた表示装置１は、閉塞板１６の表示装置１の外側の面に第一の取っ手１７を設けたことで、表示装置１を壁面及び天井等に固定した状態においても、閉塞板固定部１８の固定を解き、第一の取っ手１７を引くことで、表示装置１の放熱ユニット７を備えた面と隣接する面側から放熱ユニット７の表示装置１内部に位置する部品ごと放熱ユニット７を取り外すことが可能であるため、放熱ユニット７を用いた表示装置１の放熱ユニット７のメンテナンスを簡単にすることができる。
【００６６】
また、放熱ユニット７を用いた表示装置１は、表示装置１の放熱ユニット７を装着する面に放熱ユニット７の外周に差込ガイド１９を備えたことで、表示装置１を壁面及び天井等に固定した状態においても、差込ガイド１９を備えることで、表示装置１に放熱ユニット７を差込む際に、表示装置１の放熱ユニット７を備えた面と隣接する面側から差込ガイド１９に沿って放熱ユニット７を差込むことができ、放熱ユニット７を用いた表示装置１の放熱ユニット７のメンテナンスを簡単にすることができる。
【００６７】
また、放熱ユニット７を用いた表示装置１は、送風機１１の取出し開口１５側のみに放熱ユニット７に固定する第一の固定部２８を有し、閉塞板１６に送風機１１の投影形状より大きな開口である送風機取出し開口２５を備え、送風機取出し開口２５の表示装置１外側に送風機取出し開口２５よりも大きな送風機取出し閉塞板２６を備えたことで、表示装置１を壁面及び天井等に固定した状態においても、送風機取出し開口２５側から送風機１１を筐体５内部に固定する第一の固定部２８の固定を解くことができ、送風機取出し閉塞板２６を取り外すことで送風機取出し開口２５から放熱ユニット７の送風機１１のみを取り外すことが可能であるため、放熱ユニット７を用いた表示装置１の放熱ユニット７のメンテナンスを簡単にすることができる。
【００６８】
また、放熱ユニット７を用いた表示装置１は、送風機１１の取出し開口１５側に第二の取っ手３０を設けたことで、表示装置１を壁面及び天井等に固定した状態においても、取出し開口１５側から送風機１１を筐体５内部に固定する第一の固定部２８の固定を解くことができ、送風機取出し閉塞板２６を取り外し、第二の取っ手３０を引くことで送風機取出し開口２５から放熱ユニット７の送風機１１のみを取り外すことが可能であるため、放熱ユニット７を用いた表示装置１の放熱ユニット７のメンテナンスを簡単にすることができる。
【００６９】
また、放熱ユニット７を用いた表示装置１は、仕切り板９に、送風機１１の差込み部３１及び第二の固定部２９を有したことで、表示装置１を壁面及び天井等に固定した状態においても、差込み部３１を設けることで、表示装置１に送風機１１を差込む際に、差込み部３１に送風機１１を差込むことができ、また、第一の固定部２８と対になる第二の固定部２９を設けることで、筐体５内部に差込まれた送風機１１を送風機取出し開口２５側から仕切り板９に固定することができるため、放熱ユニット７を用いた表示装置１の放熱ユニット７のメンテナンスを簡単にすることができる。
【００７０】
また、放熱ユニット７を用いた表示装置１は、送風機１１の原動機と接続された第一の制御コネクタ２３は、放熱ユニット７の差込み方向Ｘに接続部が露出した状態にて放熱ユニット７に固定し、第一の制御コネクタ２３と対になる制御部６に接続された第二の制御コネクタ２４は、表示装置１の放熱ユニット７の装着位置において第一の制御コネクタ２３と連結される位置に固定したことで、表示装置１を壁面及び天井等に固定した状態において、表示装置１の放熱ユニット７を備えた面と隣接する面側から放熱ユニット７及び放熱ユニット７の送風機１１のみを取り外した際に、第一の制御コネクタ２３と第二の制御コネクタ２４の連結が解かれるとともに、表示装置１の放熱ユニット７を備えた面と隣接する面側から放熱ユニット７及び放熱ユニット７の送風機１１のみを装着する際に、放熱ユニット７及び放熱ユニット７の送風機１１のみを筐体５に差込むだけで表示装置１の放熱ユニット７の装着位置において第一の制御コネクタ２３と第二の制御コネクタ２４が連結されるため、放熱ユニット７を用いた表示装置１の放熱ユニット７のメンテナンスを簡単にすることができる。
【００７１】
また、放熱ユニット７を用いた表示装置１は、放熱ユニット７を表示装置１に押し当てる密閉部材２０を備えたことで、表示装置１の放熱ユニット７装着面からのネジ等を用いた固定を行わずに放熱ユニット７と表示装置１間の密閉性を確保することができるため、放熱ユニット７を用いた表示装置１の放熱ユニット７のメンテナンスを簡単にすることができる。
【００７２】
また、放熱ユニット７を用いた表示装置１は、密閉部材２０に、放熱ユニット７を表示装置１の一部に押し当てる位置に緩衝部材２１を備えたことで、表示装置１の放熱ユニット７装着面からのネジ等を用いた固定を行わずに放熱ユニット７と表示装置１間の密閉性を確保することができるため、放熱ユニット７を用いた表示装置１の放熱ユニット７のメンテナンスを簡単にすることができる。
【００７３】
また、放熱ユニット７を用いた表示装置１は、密閉部材２０は、閉塞板１６または表示装置１の閉塞板１６を固定する面に密閉部材２０を固定するための第三の固定部２２を備えたことで、閉塞板１６または表示装置１の閉塞板１６を固定する面、すなわちメンテナンス作業を行う側に密閉部材２０を固定するための第三の固定部２２を備えることで、表示装置１の放熱ユニット７装着面からのネジ等を用いた固定を行わずに放熱ユニット７と表示装置１間の密閉性を確保することができるため、放熱ユニット７を用いた表示装置１の放熱ユニット７のメンテナンスを簡単にすることができる。
【００７４】
また、放熱ユニット７を用いた表示装置１は、密閉部材２０は、表示装置１の外側方向に中心点を持つ円弧形状としたことで、表示装置１が表示装置１の外側方向に中心点を持つ円弧形状とした密閉部材２０を備えることで、表示装置１の放熱ユニット７装着面からのネジ等を用いた固定を行わずに放熱ユニット７と表示装置１間の密閉性を確保することができるため、放熱ユニット７を用いた表示装置１の放熱ユニット７のメンテナンスを簡単にすることができる。
【００７５】
また、放熱ユニット７を用いた表示装置１は、表示装置１は、放熱ユニット７を覆う背面カバー８を備えたものであって、背面カバー８は表示装置１の取出し開口１５に位置する部位に開閉機構３２を備えたことで、表示装置１を壁面及び天井等に固定した状態においても、背面カバー８を取り外すことなく、背面カバー８の開閉機構３２部分を開けることで、表示装置１の放熱ユニット７を備えた面と隣接する面側から放熱ユニット７の筐体５内部に位置する部品ごと放熱ユニット７を取り外すことが可能であるため、放熱ユニット７を用いた表示装置１の放熱ユニット７のメンテナンスを簡単にすることができる。
【００７６】
なお、本実施の形態において、図３に示す左側の放熱ユニット７に主眼をおいて説明を行ったが、図３に示す中央の放熱ユニット７は、筐体５の上方側に取出し開口１５及び閉塞板１６等の構成部品が位置することで、図３に示す左側の放熱ユニット７と同様に、放熱ユニット７及び放熱ユニット７の送風機１１のみを取り外すことが可能であるため放熱ユニット７を用いた表示装置１の放熱ユニット７のメンテナンスを簡単にすることができる。
【００７７】
（実施の形態２）
本実施の形態では、図９に示すように、背面カバー８が複数の放熱ユニット７ごとに備えられ、背面カバー８は、表示装置１の取出し開口１５に位置する部位および取出し開口１５側の放熱ユニット７の投影面となる部位に開閉機構３２を備えたものであって、背面カバー８は、表示装置１の放熱ユニット７を備えた面に固定された構成である。なお、理解を容易にするために、以下の説明において実施の形態１と同一部分については同一符号を付しその説明は簡略化する。
【００７８】
本実施の形態において、背面カバー８が表示装置１の放熱ユニット７を備えた面に固定されているため、背面カバー８と放熱ユニット７とが直接連結されておらず、背面カバー８を表示装置１に装着した状態においても、放熱ユニット７及び送風機１１の脱着を可能とするように、背面カバー８の放熱ユニット７を抜き差しする面に放熱ユニット７の投影面積よりも大きな開口を持つ開閉機構３２を有しており、背面カバー８を取り外すことなく放熱ユニット７および送風機１１の脱着が可能となるものである。よって、背面カバー８の開閉機構３２部分を開けることで、表示装置１の放熱ユニット７を備えた面と隣接する面側から放熱ユニット７の筐体５内部に位置する部品ごと放熱ユニット７を取り外すことが可能であるため、放熱ユニット７を用いた表示装置１の放熱ユニット７のメンテナンスを簡単にすることができる。
【００７９】
（実施の形態３）
本実施の形態では、図１０に示すように、背面カバー８が複数の放熱ユニット７ごとに備えられ、背面カバー８が放熱ユニット７の仕切り板９に固定された構成である。なお、理解を容易にするために、以下の説明において実施の形態１と同一部分については同一符号を付しその説明は簡略化する。
【００８０】
本実施の形態において、背面カバー８は、複数の放熱ユニット７のそれぞれの仕切り板９に固定されており、仕切り板９が表示装置１に固定されているため、背面カバーは実質表示装置１に固定されることとなるが、背面カバー８と表示装置１とが直接連結されていないため、放熱ユニット７および送風機１１を表示装置１から取り外すまたは取り付ける際に放熱ユニット７と一体となって背面カバー８が着脱可能となるため、表示装置１の放熱ユニット７を備えた面と隣接する面側から放熱ユニット７の筐体５内部に位置する部品および背面カバー８ごと放熱ユニット７を取り外すことが可能であるため、放熱ユニット７を用いた表示装置１の放熱ユニット７のメンテナンスを簡単にすることができる。
【産業上の利用可能性】
【００８１】
以上のごとく本発明の放熱ユニットを用いた電子機器は、筐体内に制御基板を有した電子機器であって、前記筐体の一つの面に放熱ユニットを備え、前記放熱ユニットは熱交換体と前記電子機器の内部と外部を仕切る仕切り板と送風機とを備え、前記電子機器の前記放熱ユニットを備えた面と隣接する面に前記放熱ユニットの前記電子機器内部に位置する部位の投影形状より大きな開口である取出し開口を備え、前記取出し開口の前記電子機器外側に前記取出し開口よりも大きな閉塞板を備えたものであるので、放熱ユニットを用いた電子機器のメンテナンスを簡単にすることができる。
【００８２】
すなわち、本発明においては、従来のように放熱ユニットのメンテナンスをする際に、まず壁面及び天井から電子機器を取り外し、次に背面カバーを取り外し、最後に放熱ユニットを取り外すという手間と時間をかけることなく、電子機器を壁面及び天井等に固定した状態においても、放熱ユニット及び放熱ユニットの送風機のみを取り外すことが可能であるため、放熱ユニットを用いた電子機器の放熱ユニットのメンテナンスを簡単にすることができるのである。
【００８３】
したがって、様々な設置タイプの電子機器に広く活用される。
【符号の説明】
【００８４】
１    表示装置
２    商店
３    軒下
４    表示部
５    筐体
６    制御部
７    放熱ユニット
８    背面カバー
９    仕切り板
１０  熱交換体
１１  送風機
１２  上方通気口
１３  下方通気口
１４  温風路体
１５  取出し開口
１６  閉塞板
１７  第一の取っ手
１８  閉塞板固定部
１９  差込ガイド
２０  密閉部材
２１  緩衝部材
２２  第三の固定部
２３  第一の制御コネクタ
２４  第二の制御コネクタ
２５  送風機取出し開口
２６  送風機取出し閉塞板
２７  送風機取出し閉塞板固定部
２８  第一の固定部
２９  第二の固定部
３０  第二の取っ手
３１  差込み部
３２  開閉機構
【図１】
0005870240.tif 000002
【図２】
0005870240.tif 000003
【図３】
0005870240.tif 000004
【図４】
0005870240.tif 000005
【図５】
0005870240.tif 000006
【図６】
0005870240.tif 000007
【図７】
0005870240.tif 000008
【図８】
0005870240.tif 000009
【図９】
0005870240.tif 000010
【図１０】
0005870240.tif 000011